【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
内部に燃焼室を形成する筒状のライナと、
前記ライナの軸方向一端に設けられたバーナと、
前記ライナ及び前記バーナを内包する外筒と、
前記ライナのバーナ側端部を含む所定の領域を囲むように前記外筒内に設置され、前記ライナと共に環状の空間を形成するバイパス空気受容れ部と、
一端が前記バイパス空気受容れ部に接続され、圧縮機からの圧縮空気の一部をバイパス空気として前記バイパス空気受容れ部にバイパスさせるバイパス配管と、
前記バイパス配管に設置され、前記バイパス配管を流れるバイパス空気の流量を調整可能なバイパス弁とを備え、
前記ライナは、前記バイパス空気受容れ部に囲まれた領域における所定の位置に、前記バイパス空気受容れ部内の空間と前記燃焼室とを連通するバイパス空気孔を有する
ことを特徴とするガスタービン燃焼器。
【請求項２】
請求項１に記載のガスタービン燃焼器において、
前記バイパス配管は、前記バイパス空気受容れ部のバーナ側端部に接続された
ことを特徴とするガスタービン燃焼器。
【請求項３】
請求項１に記載のガスタービン燃焼器において、
前記バイパス配管は、前記外筒の外側に延在する
ことを特徴とするガスタービン燃焼器。
【請求項４】
請求項１に記載のガスタービン燃焼器において、
前記バイパス空気受容れ部内の空間に前記ライナに対向するように設置したインピンジ部材を更に備え、
前記インピンジ部材は、前記バイパス空気受容れ部内に流入するバイパス空気を前記ライナの外表面に噴出させるインピンジ孔を複数有する
ことを特徴とするガスタービン燃焼器。
【請求項５】
請求項１に記載のガスタービン燃焼器において、
前記バイパス弁の弁開度をガスタービンの負荷条件に応じて制御する制御装置を更に備える
ことを特徴とするガスタービン燃焼器。
【請求項６】
請求項５に記載のガスタービン燃焼器において、
前記制御装置は、前記バイパス弁の弁開度を、前記ガスタービンの負荷が無負荷条件で最大開度とし、負荷の上昇に伴い減少させ、定格負荷条件で最小開度となるように制御する
ことを特徴とするガスタービン燃焼器。
【請求項７】
請求項５に記載のガスタービン燃焼器において、
前記制御装置は、前記ガスタービンの負荷が無負荷条件から低負荷条件において、前記ライナ内におけるバーナ側端部から前記バイパス空気孔に対応する位置までの領域の当量比が１．０となるように、前記バイパス弁の弁開度を制御する
ことを特徴とするガスタービン燃焼器。
【請求項８】
請求項５又は７に記載のガスタービン燃焼器において、
前記制御装置は、前記ガスタービンの負荷が高負荷条件から定格負荷条件において、前記ライナ内におけるバーナ側端部から前記バイパス空気孔に対応する位置までの領域の当量比が１．５以上３．０以下となるように、前記バイパス弁の弁開度を制御する
ことを特徴とするガスタービン燃焼器。
【請求項９】
請求項５に記載のガスタービン燃焼器において、
前記ライナにおける前記バイパス空気受容れ部に囲まれた領域の温度を検出する温度検出器を更に備え、
前記制御装置は、前記温度検出器の検出信号及び前記ガスタービンの負荷条件に基づいて、前記バイパス弁の弁開度を制御する
ことを特徴とするガスタービン燃焼器。
【請求項１０】
請求項９に記載のガスタービン燃焼器において、
前記制御装置は、前記温度検出器の検出信号が予め定めた設定値を超えた場合において、前記ガスタービンの負荷が５０％未満時には、弁開度を減少させる指令を前記バイパス弁に出力し、前記ガスタービンの負荷が５０％以上時には、弁開度を増加させる指令を前記バイパス弁に出力する
ことを特徴とするガスタービン燃焼器。
【請求項１１】
空気を圧縮して高圧の圧縮空気を生成する圧縮機と、
前記圧縮機から導入される圧縮空気と燃料とを混合して燃焼させることで燃焼ガスを生成する燃焼器と、
前記燃焼器で生成された燃焼ガスのエネルギーにより軸駆動力を得るタービンとを備え、
前記燃焼器は
内部に燃焼室を形成するライナと、
前記ライナを内包する外筒と、
前記ライナにおける燃焼ガス上流側の端部を含む所定の領域を囲むように前記外筒内に設置され、前記ライナと共に環状の空間を形成するバイパス空気受容れ部と、
一端が前記バイパス空気受容れ部に接続され、前記圧縮機からの圧縮空気の一部をバイパス空気として前記バイパス空気受容れ部にバイパスするバイパス配管と、
前記バイパス配管に設置され、前記バイパス配管に流れるバイパス空気の流量を調整可能なバイパス弁とを備え、
前記ライナは、前記バイパス空気受容れ部に囲まれた領域における所定の位置に、前記バイパス空気受容れ部内の空間と前記燃焼室とを連通するバイパス空気孔を有する
ことを特徴とするガスタービン。
【請求項１２】
内部に燃焼室を形成するライナと、前記ライナの軸方向一端に設けられたバーナとを有するガスタービン燃焼器を備えたガスタービンの運転方法であって、
前記ガスタービンの負荷条件を検出し、
前記ライナのバーナ側端部を含む所定の領域を囲むように設置されて前記ライナと共に環状の空間を形成するバイパス空気受容れ部を介して、前記ライナの前記バイパス空気受容れ部に囲まれた領域における所定の位置に設けたバイパス空気孔から前記燃焼室に流入する圧縮機からの圧縮空気の一部であるバイパス空気の流量を、検出した前記ガスタービンの負荷条件に応じて調整する
ことを特徴とするガスタービンの運転方法。
【請求項１３】
請求項１２に記載のガスタービンの運転方法であって、
検出した前記ガスタービンの負荷条件が無負荷条件及び低負荷条件のいずれかの場合には、前記ライナ内におけるバーナ側端部から前記バイパス空気孔に対応する位置までの領域の当量比が１．０となるように、前記バイパス空気の流量を調整する
ことを特徴とするガスタービンの運転方法。
【請求項１４】
請求項１２又は１３に記載のガスタービンの運転方法であって、
検出した前記ガスタービンの負荷条件が高負荷条件及び定格負荷条件のいずれかの場合には、前記ライナ内におけるバーナ側端部から前記バイパス空気孔に対応する位置までの領域の当量比が１．５以上３．０以下となるように、前記バイパス空気の流量を調整する
ことを特徴とするガスタービンの運転方法。
【請求項１５】
請求項１２に記載のガスタービンの運転方法であって、
前記ライナにおける前記バイパス空気受容れ部に囲まれた領域の温度を更に検出し、
検出した温度が予め定めた設定値を超えたか否かを更に判定し、
検出した温度が前記設定値を超えたと判定し、かつ、検出した前記ガスタービンの負荷が５０％未満の場合には、前記バイパス空気の流量を減少させ、
検出した温度が前記設定値を超えたと判定し、かつ、検出した前記ガスタービンの負荷が５０％以上の場合には、前記バイパス空気の流量を増加させる
ことを特徴とするガスタービンの運転方法。
【手続補正２】
【補正対象書類名】明細書
【補正対象項目名】００４１
【補正方法】変更
【補正の内容】
【００４１】
次に、ガスタービンの定格負荷条件におけるライナ（燃焼室）の軸方向位置に対する当量比の関係、及び、ガスタービンの定格負荷条件・高負荷条件における運転方法を図１、図５乃至図７、及び図９を用いて説明する。
図９は図１に示す本発明のガスタービン燃焼器の第１の実施の形態を備えたガスタービンの運転方法における定格負荷条件の場合のライナの軸方向位置と当量比との関係を示す特性図である。図９中、縦軸φは当量比を、横軸ｘはライナ２１（燃焼室３０）の左端（バーナ２２側端）を０とした軸方向位置（％）を示している。なお、図９において、図１乃至図８に示す符号と同符号のものは、同一部分であるので、その詳細な説明は省略する。